(57)【要約】【課題】内筒を外筒に挿入するだけでワンタッチで装着できるようにする。【解決手段】  内筒を外筒に回動自在に内挿し、外筒に設けられた開口部と内筒の収容部とを内筒の外筒に対する相対回動に連動して連通させ、収容部の化粧料を使用する容器において、内筒３と外筒２との間に、外筒２の基端側から先端側へ挿入された内筒３の入り込み位置を設定する入り込み位置設定手段２１と、入り込み位置からの抜け止めをする位置決め手段２０とを設ける。【選択図】図１
2005245513.tif 000002
【特許請求の範囲】
【請求項１】
内外を連通する開口部（４）を有する外筒（２）と、この外筒（２）に回動自在に内挿される内筒（３）とを有し、前記内筒（３）には回動することにより開口部（４）に対向する収容部（１６）を有し、
前記内筒（３）と外筒（２）との間に、外筒（２）の基端側から先端側へ挿入された内筒（３）の入り込み位置を設定する入り込み位置設定手段（２１）と、入り込み位置からの抜け止めをする位置決め手段（２０）とを設けていることを特徴とする容器。
【請求項２】
前記外筒（２）の先端部にキャップ（７）を螺合し、このキャップ（７）の内側と内筒（３）の先端部との間にキャップ（７）を内筒（３）に対して軸方向移動が許容された状態で一体回動する連動手段（１９）を設けていることを特徴とする請求項１に記載の容器。
【請求項３】
前記内筒（３）はその基端部に外筒（２）の基端部から露出した把持部（２４）を有しかつその先端部にキャップ（７）を螺合しており、このキャップ（７）を外筒（２）の先端部と嵌合させ、このキャップ（７）と外筒（２）の先端部との間にキャップ（７）を外筒（２）に対して軸方向移動が許容された状態で一体回動する連動手段（１９）を設けていることを特徴とする請求項１に記載の容器。
【請求項４】
前記内筒（３）の先端側に前記収容部（１６）と隔壁を隔ててかつキャップ（７）側に向かって開口する用具収納部（１７）を設けていることを特徴とする請求項２または３に記載の容器。
【請求項５】
前記用具収納部（１７）に収納される用具（６）がキャップ（７）に装着されていることを特徴とする請求項４に記載の容器。
【請求項６】
前記内筒（３）はその基端部に外筒（２）の基端部から露出した把持部（２４）を有しかつその先端部に先端方向に向かって開口する用具収納部（１７）を形成しており、外筒（２）の先端部に用具収納部（１７）に対向して開口させる端面開口部（２５）と閉鎖する閉鎖部（２８）とを有していることを特徴とする請求項１に記載の容器。
【請求項７】
前記内筒（３）の周壁に鏡（１５）を設け、外筒（２）を透明な材料より形成していることを特徴とする請求項１〜６のいずれかに記載の容器。
【発明の詳細な説明】
【技術分野】
【０００１】
本発明は、内外二重筒で形成される容器に関するものである。
【背景技術】
【０００２】
この種の容器としては、特許文献１に示すように、外筒の側壁に開口部を設け、この外筒内に化粧料用の収容部を複数個設けた透明な内筒を備え、外筒を内筒に対して相対回動させることで化粧料室が開閉自在である容器が知られている。前記容器は、外筒の一端に円形の蓋部と抜け止め規制手段とを有し、内筒を外筒に内挿した後、抜け止め規制手段と蓋部を装着し、容器の組み立てができるようになっている。
【特許文献１】実公平７−１０６６５号公報
【発明の開示】
【発明が解決しようとする課題】
【０００３】
前記容器では、独立した部品である蓋部と抜け止め規制手段を取り付ける製造工程をそれぞれ設ける必要があり、製造工程が複雑になると共に製造コストが高くなる可能性があった。
本発明は、このような問題点を解決し得る容器を提供することを目的とする。
本発明は、外筒に内挿された内筒の入り込み位置を設定しかつ入り込み位置から内筒の抜け止めをすることによって、内筒を外筒に挿入するだけでワンタッチで装着することができ、製造工程を簡略化でき、製造コストの低減が可能となる容器を提供することを目的とする。
【課題を解決するための手段】
【０００４】
前記目的を達成するため、本発明は次の手段を講じた。
即ち、内外を連通する開口部４を有する外筒２と、この外筒２に回動自在に内挿される内筒３とを有し、前記内筒３には回動することにより開口部４に対向する収容部１６を有し、前記内筒３と外筒２との間に、外筒２の基端側から先端側へ挿入された内筒３の入り込み位置を設定する入り込み位置設定手段２１と、入り込み位置からの抜け止めをする位置決め手段２０とを設けている。
これによって、内筒を外筒に挿入するだけでワンタッチで装着することができ、製造工程を簡略化でき、製造コストの低減が可能となる。
【０００５】
前記外筒２の先端部にキャップ７を螺合し、このキャップ７の内側と内筒３の先端部との間にキャップ７を内筒３に対して軸方向移動が許容された状態で一体回動する連動手段１９を設けている。
これによって、キャップ７を回動すると内筒３を外筒２に対して回動させることができ、しかもキャップ７の着脱もできる。
前記内筒３はその基端部に外筒２の基端部から露出した把持部２４を有しかつその先端部にキャップ７を螺合しており、このキャップ７を外筒２の先端部と嵌合させ、このキャップ７と外筒２の先端部との間にキャップ７を外筒２に対して軸方向移動が許容された状態で一体回動する連動手段１９を設けている。
【０００６】
これによって、内筒３の把持部２４を持って内筒３を外筒２に対して回動させることができ、キャップ７以外の部位を用いて相対回動を起こさせることができる。
前記内筒３の先端側に前記収容部１６と隔壁を隔ててかつキャップ７側に向かって開口する用具収納部１７を設けている。
これによって、化粧料と用具６を一体収容でき、容器１の利便性を向上させることができる。また、用具６を収容部１６から隔てて収納することができ、用具６を化粧品の粉末などで汚すことがなくなる。
【０００７】
前記用具収納部１７に収納される用具６がキャップ７に装着されている。
これによって、キャップ７を用具６のツマミとして利用して、キャップ７を外すことにより用具６を使用することができる。
前記内筒３はその基端部に外筒２の基端部から露出した把持部２４を有しかつその先端部に先端方向に向かって開口する用具収納部１７を形成しており、外筒２の先端部に用具収納部１７に対向して開口させる端面開口部２５と閉鎖する閉鎖部２８とを有している。
これによって、キャップ７を有さなくても用具６を収容できる。
【０００８】
前記内筒３の周壁に鏡１５を設け、外筒２を透明な材料より形成している。
これによって、鏡１５を外筒２越しに確認でき、鏡１５を見ながら化粧でき、また鏡１５を化粧料の顔料等による汚れから保護することができるようになる。
【発明の効果】
【０００９】
本発明により、内筒を外筒に挿入するだけでワンタッチで装着することができ、製造工程を簡略化でき、製造コストの低減が可能となる。
【発明を実施するための最良の形態】
【００１０】
以下、本発明の実施の形態を図面に基づき説明する。
本発明の第１実施形態の容器１は、図１〜４に示すように、外筒２と、この外筒２に挿入される内筒３と、外筒２端部に螺合するキャップ７とを有している。
前記外筒２は、基端側から先端側近傍までが大径で先端側が小径であって、透明な合成樹脂から成る中空筒状に成形され、その基端部近傍から中途部にかけての周壁に開口部４が形成され、先端部外周には２条の雄ネジ１０ａが形成されている。外筒２の基端部は開口しており、内周面には段部雌形状の当接部２１ｂが設けられ、先端側内周面には基端側傾斜面と先端側垂直面を有して径内方向に突隆した内方突条２０ｂが形成されている。
【００１１】
前記内筒３は、外筒２に回動自在に挿入される合成樹脂製の筒体であり、前記外筒２の内周に沿うように先端側に段部と傾斜部を介して小径部２９が形成されている。その基端部近傍から中途部にかけての周壁から凹状に形成した収容部１６と、この収容部１６と軸方向に並べた鏡１５が設けられ、内部には先端側に開口した円筒状の用具収納部１７が形成されている。
内筒３の基端部には、内周面に段部雄形状の当接部２１ａが前記外筒２の当接部２１ｂと当接可能に形成されている。また、小径部２９の外周面には先端側に外径をより小さくした最小部２９ａが形成され、この最小部２９ａには先端側傾斜面と基端側垂直面を有して径外方向に突隆した外方突条２０ａが突設されており、前記最小部２９ａには外方突条２０ａを横切って先端方向に開口した切欠部（スリット）１８が軸線と平行に複数条形成されている。
【００１２】
前記当接部２１ａと当接部２１ｂは、垂直面が互いに当接することで内筒３が外筒２の先端側に向かってそれ以上挿入されるのを規制できる入り込み位置設定手段２１を構成している。また、外筒２の大径部と小径部との間の段部と、内筒３の大径部と小径部２９との間の段部も、垂直面を面接させることにより、入り込み位置設定手段２１を構成させることができる。
前記外方突条２０ａと内方突条２０ｂは、図３に示すように、内筒３挿入時に両者の傾斜面が互いに当接し、内筒３の最小部２９ａが切欠部１８によって収縮可能であることにより乗り越えが行われ、乗り越え後は両者の垂直面が面接する。内筒３に引抜の力が加わっても外方突条２０ａと内方突条２０ｂの垂直面が互いに当接しているので、内筒３の安易な抜けが規制され、内筒３を入り込み位置に保持する。前記外方突条２０ａと内方突条２０ｂによって、前記内筒３を外筒２に挿入し易く抜け難くくする位置決め手段２０を構成している。
【００１３】
前記入り込み位置設定手段２１と位置決め手段２０の協動によって、内筒３を外筒２にワンタッチで装入して保持することができ、外筒２に対する内筒３のワンタッチ装着手段を構成している。
前記キャップ７は、その内周面には雌ネジ１０ｂが形成され、内底面には内筒３の切欠部１８に適合挿入される連動部２３が立設されている。前記連動部２３は切欠部１８に挿入された状態でキャップ７を回動する力を内筒３に伝達することができる。この連動部２３と切欠部１８により構成される連動手段１９を設けることで、キャップ７を把持して回動させると、内筒３を外筒２に対して一体回動させることができ、キャップ７自体を外筒２からネジ１０によって着脱ができる。
【００１４】
前記用具収納部１７は先端側に向かって開口した円筒形状に形成され、前記収納部１６と隔壁３ａを隔てて設けられており、キャップ７の内連動部２３内に着脱自在に設けた用具６を挿入可能となっている。なお、キャップ７の内底面に用具６および内連動部２３を一体に成形して、用具６が紛失されないようにしても良い。
前記収容部１６には中皿５が収納されており、この中皿５は化粧料などの収容物を複数収容できるように仕切られた区画を有する箱状容器である。収容部１６と中皿５との間には係脱手段２２が設けられており、これによって収容部１６からの中皿５の安易な離脱を阻止しており、中皿５の詰め替えを可能にし、容器１の利便性を向上させている。
【００１５】
前記収容部１６は開口部４と開口面積が略等しく形成されており、内筒３の外筒２に対する相対回動に応じて収容部１６と開口部４が連通状態になり、収容された収容物を使用することができるようになる。
前記鏡１５は透明な外筒２によって外出することなく使用することができ、汚れることの多い鏡１５を中皿５に収容される化粧料顔料等による汚れから保護できるようになっている。
前記容器１は、キャップ７を把持して回動させると、連動部２３と切欠部１８との係合により内筒３に回動方向の力を伝達し、外筒２に対して内筒３を例えば１８０度回動させ、収容部１６を開口部４に対して対向状態または非対向状態にする。
【００１６】
キャップ７と外筒２は雄ネジ１０ａと雌ネジ１０ｂで螺合しており、キャップ７の半周回動により螺合が外れる。また、キャップ７は内筒３と軸方向移動自在で一体回動するので、キャップ７は外筒２に対して内筒３と一体に回動しつつ外筒２と内筒３に対して軸方向移動する。
キャップ７は外筒２との螺合が外れるまで回動すると、内底面の連動部２３（連動部１９）が切欠部１８から外れ、外筒２と内筒３の双方から離脱する。キャップ７を外すと、内筒３内に収納されていた用具６も共に取り出される。
【００１７】
前記キャップ７が先端側に寄った位置（図１の実線位置）にある時は、内筒３の中皿５は開口部４の対向位置にあり、キャップ７を外して用具６を用いて開口部４から中皿５の収容物が使用可能となる。キャップ７を半周回動させると、キャップ７が外筒２に螺合し、キャップ７が基端側に寄った位置（図１の２点鎖線位置）まで移動し、中皿５が対向しない位置まで回動して収容物が収容状態となる。
なお、図１において符号２６は外筒２と内筒３の間に設けた回動位置保持手段を示しており、この回動位置保持手段２６は収容部１６を開口部４に対して対向させたときおよび非対向させたときに、それらの状態で回動抵抗を与えて、内筒３が安易に回動するのを防止してその状態を維持できるように回動位置を保持するものであり、また各状態にあることを感覚的にわかるようにキャップ７の回動にクリック感を与えるものである。
【００１８】
図５に示す第２実施形態の容器１において、外筒２はストレート筒形状であり、内筒３はその基端側に把持部２４を有し、先端部の小径部２９にキャップ７を螺合している。
前記外筒２は、基端部端面が段部雌形状の当接部２１ｂとなっており、その先端部内周面に内方突条２０ｂが形成されている。この内方突条２０ｂは周方向に環状であって軸方向断面が半球状である。先端部内周面には軸方向に平行な径内方向凸条（または凹条）の内連結部２７ａが周方向複数条形成されている。
前記内筒３は、基端側に把持部２４が外筒２の外周面と略面一になるように形成され、この把持部２４をツマミとして内筒３を回動できるようになっている。また、この把持部２４に隣接して段部雄形状の当接部２１ａが形成され、外筒２の当接部２１ｂと相まって入り込み位置設定手段２１を構成しており、先端側外周面には環状の内方凹条２０ｃが形成され、前記内方突条２０ｂと相まって位置決め手段２０を構成している。さらに、内筒３の小径部２９の外周面には雄ネジ１０ａが形成され、内周面に雌ネジ１０ｂを有するキャップ７を螺合している。
【００１９】
前記キャップ７は外側面に軸方向に平行な径外方向凸条（または凹条）の外連動部２７ｂが複数条形成されており、この外連動部２７ｂは外筒２の先端部の前記内連結部２７ａと係合可能であり、両者で連動手段１９を構成しており、外筒２に対して内筒３を回動したときに、キャップ７を軸方向に移動できるようになっている。
第２実施形態の容器１は、内方凹条２０ｃ、内方突条２０ｂで構成される位置決め手段２０を入り込み位置設定手段２１を兼用していると認識しても良い。
第３実施形態の容器１は図６に示しており、内筒３の先端部の小径部２９は外筒２の先端部より突出し、この小径部２９の外周面には雄ネジ１０ｂが形成されている。また、キャップ７の奧部の内周面には前記雄ネジ１０ｂと螺合できるように雌ネジ１０ａが形成されており、奧部より大径の口部の内周面には軸方向に平行な径内方向に凸条（または凹条）の内連動部３０ａが複数条形成されている。前記外筒２の先端小径部外周面には軸方向に平行にかつ径外方向に凸条（または凹条）の外連動部３０ｂが形成されており、前記内連動部３０ａと外連動部３０ｂとは係合しており、両者で連動手段１９を構成している。
【００２０】
外筒２の先端小径部の内周には、内筒３の外方突条２０ａと係合する内方突条２０ｂが形成されている。内筒３を外筒２に挿入しやすくするために、外筒２の先端小径部には周方向に分割するための軸方向スリットを設けるのが好ましい。
第４実施形態の容器１は、図７または図８に示すように、第１〜第３実施形態の容器１より広径短尺化した円筒型であって、床面などに軸方向に直立する立設状態で常用できるようになっている。
外筒２は端面に三日月状の端面開口部２５とそれに隣接する閉鎖部２８とが形成され、内筒３は基端部（下端部）に把持部２４を有し、先端側に前記端面開口部２５に対応した用具収納部１７が形成されている。
【００２１】
この第４実施形態の容器１はキャップ７が設けられておらず、収容部１６、位置決め手段２０、入り込み位置設定手段２１は第２実施形態のそれらと略同様な構成であり、外筒２の先端部内面に内筒３の先端部を当接させ、それを入り込み位置設定手段２１と認識することもできる。
第５実施形態の容器１は、図９に示すように、第４実施形態の容器１よりさらに広径短尺化された構成であり、内筒３に設けられる収容部１６と用具収納部１７の位置関係が逆となっている。即ち、内筒３は外筒２の開口部４と対向可能な位置に用具収納部１７が形成されており、外筒２の端面開口部２５によって開放されかつ閉鎖部２８によって閉鎖される位置に収容部１６が形成され、中皿５が挿入配置されている。外筒２と内筒３の回動に応じて端面開口部２５が開閉し収容部１６に収納された収容物の取出が自在となり、外筒２の周壁に設けられた開口部４が開閉して用具６の取出が可能となる。用具収納部１７は軸方向に短く周方向に広いので、パフなどの薄型な用具６を収納するのに便利である。
【００２２】
本発明は前記実施形態における各部材の形状およびそれぞれの前後・左右・上下の位置関係は、図１〜９に示すように構成することが最良である。しかし、前記実施形態に限定されるものではなく、部材、構成を種々変形したり、組み合わせを変更したりすることもできる。
例えば、外筒２を構成する合成樹脂は透明な材料であるのが好ましいが、半透明や有色の合成樹脂を用いても良い。また、キャップ７と外筒２に設けられるネジ１０は１条または３条以上でも良く、ネジ式をやめて嵌合式にしても良い。
【図面の簡単な説明】
【００２３】
【図１】本発明の第１実施形態を示す断面図である。
【図２】第１実施形態を示す分解説明図である。
【図３】第１実施形態の外筒と内筒の装着を示す説明図である。
【図４】図１のＡ−Ａ線断面図である。
【図５】第２実施形態を示す断面図である。
【図６】第３実施形態を示す断面図である。
【図７】第４実施形態を示す斜視図である。
【図８】図７のＢ−Ｂ線断面図である。
【図９】第５実施形態を示す斜視図である。
【符号の説明】
【００２４】
１    容器
２    外筒
３    内筒
４    開口部
５    中皿
６    用具
７    キャップ
１５  鏡
１６  収容部
１７  用具収納部
１８  切欠部
１９  連動手段
２０  位置決め手段
２１  入り込み位置設定手段
２４  把持部
２５  端部開口部
２８  閉鎖部
【図１】
2005245513.tif 000003
【図２】
2005245513.tif 000004
【図３】
2005245513.tif 000005
【図４】
2005245513.tif 000006
【図５】
2005245513.tif 000007
【図６】
2005245513.tif 000008
【図７】
2005245513.tif 000009
【図８】
2005245513.tif 000010
【図９】
2005245513.tif 000011